(57)【特許請求の範囲】
【請求項１】
ファインダー光学系内の特定のレンズを光軸周りに回動することにより、前記特定のレンズを光軸方向に相対移動可能となるように保持する第一の保持部材と、前記第一の保持部材を、前記第一の保持部材に形成された曲げ部によって光軸と直交する方向に相対移動可能なようにファインダー装置に保持する第二の保持部材と、を備えることを特徴とするファインダーのレンズ保持装置。
【請求項２】
前記第一の保持部材は、一部を前記第二の保持部材により上下方向の移動のみを許容するようにガイドされたことを特徴とする請求項１記載のファインダーのレンズ保持装置。
【請求項３】
前記第一の保持部材は、有害光をカットするためのマスク部を有することを特徴とする請求項１記載のファインダーのレンズ保持装置。
【請求項４】
前記特定のレンズ及び前記第一の保持部材を前記第二の保持部材へ附勢する弾性部材を備えたことを特徴とする請求項１記載のファインダーのレンズ保持装置。
【発明の詳細な説明】
【０００１】
【発明の属する技術分野】
本発明は、レンジファインダー式のカメラのファインダーのレンズ保持装置に関するものである。
【０００２】
【従来の技術】
銀塩フィルムを用いるレンジファインダー式のカメラにおいては、レンズを通してフィルムの１駒の画面に露光される画角に対し、ファインダーの画角が一致或いはやや小さい値になるようにし、かつ、フィルム露光画像とファインダー画像とに殆どずれが生じないようにする必要がある。カメラのファインダーは、カメラを構成する各部品の製造上の寸法誤差の積み重ねにより生じる設計中心からの光学的なずれを補正するための調整が必要になることがあった。この調整は主に、ファインダー像のピント調整を行う視度調整と、実際の撮影画角とファインダー像の画角を所定距離で一致させるために行う視差（パララックス）調整に大別される。
【０００３】
従来、ファインダー視度は対物レンズ、または、接眼レンズの光軸方向への移動によって補正され、所定の規格値内に収めるような調整が必要になる。特に高倍率のズーム比を有するカメラのファインダーでは望遠時と広角時で視度が大幅に異なる為、カメラ製造工程中に各ズームポジションで、視度を所定の規格値に収める必要がある。
【０００４】
一方視差調整は、ファインダー光学系を構成する各部品で補正することが可能である。例えば、実像式のファインダーについて考えると、（１）焦点面に存在する視野枠を光軸と直交する方向に移動する。（２）プリズムの傾きを調整する。（３）対物レンズを光軸と直行する方向に移動させる等、種々の方法が考案され、また実施されてきた。
【０００５】
しかしながら、ファインダーの視度調整及び視差調整は、本来、その性質上、ファインダーのレンズ保持装置をカメラ本体に取り付けた状態で調整することが望ましいが、上記従来例では各調整が別々の箇所に分散し、また、その調整も微妙かつ複雑な為、高度な熟練を要するものであった。
【０００６】
この調整の不具合の原因を列挙すれば、以下の如くである。
（ｉ）製品を小型化するために、調整に要する十分なスペースが確保できない。
（ｉｉ）調整方法自体、複雑（ミラーの傾き調整、プリズムの傾き調整など）であり、特殊な治具によって行われなければならない。
（ｉｉｉ）調整後、その状態を保持するために接着を行う必要がある。この際、固着するまで調整した位置からずれないように、治具などで接着工程が完了するまで保持しておくことが必要になる。この為、次の工程へ進めず、効率が悪かった。
（ｉｖ）調整箇所が別々の位置にあるため、調整時の作業効率が悪かった。
【０００７】
これらの問題点に対し、特開平７−４３７８４号公報では、対物レンズを光軸と垂直な方向へ移動可能に仮保持する第一保持部材と、この第一保持部材に仮保持された対物レンズを光軸方向（前後方向）へ移動可能に仮保持する第二の保持部材を備えた調整装置を設け、ファインダーのレンズ保持装置の組立工程のうち、視度調整と視差の調整を対物レンズの位置調整で行うようにしている。
【０００８】
一方、撮影レンズがズームレンズである場合のファインダー装置の変倍機構は、通常、変倍のために移動するレンズをレンズ保持部材で保持し、そのレンズ保持部材の一部に設けられた嵌合穴にファインダーブロックなどに固定されたガイドバーを摺動可能に嵌合させることにより、レンズはファインダーブロックに対して光軸方向に移動が可能なように保持される。そして、レンズの光軸方向への移動は、レンズホルダの一部に設けられたピンとファインダーブロックの下面あるいは上面に位置し、撮影レンズ鏡筒の変倍動作に連動して光軸周りに回動し、あるいは光軸と直交する方向に移動するカム部材のカム面が当接し、カム部材の移動に連動することにより行われる。この移動の際にレンズがガイドバーを中心とした回動を生じると、所謂、偏心を起こすことになり、像性能が劣化するばかりでなく、観察している視野が移動し、観察像が揺れるようになり、滑らかなズーミングがなされなくなってしまう。
【０００９】
この現象は、特にズーミング操作の反転したところで生じ易い。これはレンズホルダのピンに対し、前記カム部材の摺動方向が反転することにより、レンズホルダが揺動するためである。これを極力抑えるため、通常、レンズホルダの一部にキーを設けると共にファインダーブロック側にキー溝を設け、キーとキー溝を嵌合させる方法、または弾性部材などでレンズ保持部材をファインダーブロック等の固定部材へ摺動可能に押し当てるなどの方法がとられてきた。
【００１０】
【発明が解決しようとする課題】
しかしながら、上記従来例では、視度調整及び視差調整の場合、視差の調整を対物レンズに対し被写体側（前側）から行い、視度の調整をカメラ上方から行うようにしているため、作業者が調整作業時にピンセットでつまむ箇所を大きく変えなければならず、非常に作業の効率が悪いものであった。
【００１１】
また、視差の調整の際、レンズの一部をつまんで移動させようとすると、レンズは左右２箇所を弾性部材で押えられているため、押えられている箇所を中心にレンズは回動してしまい、所望の移動が得られないでいた。そのために移動する方向の軸上を押す、あるいは引くという作業になり、当然、移動方向によりつまむ箇所を変えていかなければならず、作業効率が非常に悪いものであった。またはレンズが回動しないようにしっかりと保持するために、専用の工具を必要としていた。
【００１２】
更に、視差の調整を対物レンズの前側から行おうとすると、その調整されるレンズの前方に別のレンズが有るような構成のファインダーにあっては、作業が不可能である。仮に、作業を行うにしても、その前側に位置するレンズを組み込む前に作業を行う必要がある。この場合、前側のレンズの代わりになるダミーレンズを治工具に取り付けておく必要があり、治工具は大掛かりなものになってしまう。また、ダミーレンズと実際のレンズとの寸法誤差あるいは実際のレンズの取り付け誤差などにより、調整した結果が許容範囲に収まらない可能性があった。更に、前記提案の構成で光学系の性能を確保するためにレンズを保持する保持部材の前方、あるいは後方にマスクを配置した場合、マスクの中心軸と、レンズ光軸にずれが生じてしまい、マスクの作用が低下することがあった。
【００１３】
また、ガイドバーを中心としたレンズの回動を抑える方法のうち、キーによる嵌合の方法は、キーとキー溝の嵌合ガタが生じないようにしても、量産時の製造誤差やばらつきを考慮し、或る程度のガタを許容せざるを得ない。しかし、レンズの敏感度によっては、僅かな嵌合ガタでも像の揺れが大きくなることもある。レンズホルダを弾性部材により押し付ける構造では、確実にその効果を出すためには専用の部品を必要とし、コストアップを招くばかりか、スペースの状態によっては専用の部品を設けることができない等の問題があった。
【００１４】
上記の課題を解決するため、本出願に係る発明の目的は、視差調整及び視度調整を同一方向から行えると共に、熟練を要することなく寸法精度の向上及び光軸ずれを低減することのできるファインダーのレンズ保持装置を提供することにある。
【００１５】
【課題を解決するための手段】
本出願に係る発明の目的を実現する構成は、請求項１に記載のように、ファインダー光学系内の特定のレンズを光軸周りに回動することにより、前記特定のレンズを光軸方向に相対移動可能となるように保持する第一の保持部材と、前記第一の保持部材を、前記第一の保持部材に形成された曲げ部によって光軸と直交する方向に相対移動可能なようにファインダー装置に保持する第二の保持部材と、を備えることを特徴とするファインダーのレンズ保持装置にある。
【００１６】
この構成によれば、レンズが第一の保持部材に組み込まれた後でも両者を光軸方向へ相対的に動かすことができ、ファインダーにおける視度調整が容易に行えるようになる。また、第一の保持部材に対して第二の保持部材が光軸に直交する方向に相対移動できるため、視差調整と視度調整が可能になる。また、レンズと第一の保持部材とは、光軸周り、すなわち円周方向へ回動するように相対移動するので、視度調整が行える。
【００１９】
本出願に係る発明の目的を実現する具体的な構成は、請求項２に記載のように、前記第一の保持部材は、一部を前記第二の保持部材により上下方向の移動のみを許容するようにガイドされたことを特徴とするファインダーのレンズ保持装置にある。
【００２０】
この構成によれば、第一の保持部材の突片と第二の保持部材の貫通穴を軸部として、第一の保持部材と第二の保持部材の全体的な係合がなされ、前記突片は前記貫通穴に遊嵌していることから第一の保持部材すなわちレンズは上下、左右の調整に要求される程度の範囲で動くことができる。
【００２１】
本出願に係る発明の目的を実現する具体的な構成は、請求項３に記載のように、前記第一の保持部材は、有害光をカットするためのマスク部を有することを特徴とするファインダーのレンズ保持装置にある。
【００２２】
この構成によれば、マスク部がレンズ周囲から有害光がレンズに侵入するのを防止することができ、ファインダー画像が劣化しない様にすることができる。
【００２３】
本出願に係る発明の目的を実現する具体的な構成は、請求項４に記載のように、前記特定のレンズ及び前記第一の保持部材を前記第二の保持部材へ附勢する弾性部材を備えたことを特徴とするファインダーのレンズ保持装置にある。
【００２４】
この構成によれば、前記レンズ及び前記第一の保持部材が前記弾性部材によって押圧されるため、各部材はねじ等で固定しなくとも１つのレンズ保持装置として一体化され、かつ視度調整及び視差調整を可能にする。
【００２７】
【発明の実施の形態】
以下、本発明の実施の形態について図面を基に説明する。
【００２８】
図１は本発明によるファインダーのレンズ保持装置を示す分解斜視図である。また、図２は本発明におけるファインダー光学系を示す配置図である。
【００２９】
図２における（ａ）はファインダー光学系の広角側における配置図を示し、（ｂ）はファインダー光学系の同望遠側における配置図を示す。なお、カメラの撮影レンズ（フィルム面に被写体像を結像させるためのレンズ）はファインダーから離れた位置に配置されているため、ここでは図示を省略している。
【００３０】
まず、図２について説明する。図中、１は第一群の第一対物レンズ、２は第一対物レンズ１の後方に同軸に配置された第二群の第二対物レンズである。この第一対物レンズ１及び第二の対物レンズ２は夫々カム板（不図示）により撮影レンズ（不図示）のズーム動作に連動して移動し、所定のズーム倍率が得られるように位置が変動する構成になっている。３は第二対物レンズ２の後段に配置された第三群の第三対物レンズ、４は第三対物レンズ３の後段に配置されたプリズムであり、５はプリズム４の出力画像を反転させるためのダハプリズムである。更に、６はダハプリズム５の後段に配置されて、像を観察するための接眼レンズである。
【００３１】
被写体像は第一対物レンズ１→第二対物レンズ２→プリズム４→ダハプリズム５を順次通過して接眼レンズ６に到達し、ユーザの瞳に入射される。第一対物レンズ１と第二対物レンズ２は撮影レンズの画角（ズーム倍率）に応じて図２の（ａ）から（ｂ）の範囲を移動する。すなわち、撮影レンズの画角に応じてファインダーの画角が変化する。プリズム４では、第三対物レンズ３からの入射光が内部で２回内面反射し、ダハプリズム５ではプリズム４からの入射光が内部で３回内面反射する。これにより、ユーザの瞳には正立正像の被写体像が入射する。
【００３２】
次に、図１，図３，図４及び図５を用いて、本発明によるレンズ保持装置の詳細構成について説明する。
【００３３】
図３は図１のレンズ保持装置の正面図、図４は図３のレンズ保持装置のａ−ａ断面図である。図５は第一の対物レンズ１の斜視図である。
【００３４】
図１及び図５において、１は図２に示した第一対物レンズに相当し、図５に示すようにレンズ周囲にはフランジ部１ａが設けられている。このフランジ部１ａには１２０度間隔で高さを同一とし、０．１ｍｍずつ段差を持つ突き当て面１ｂが形成されている。このうち、最も高い３箇所の突き当て面１ｂは、周辺のフランジ部１ａと同一高さ（同一平面）に形成されている。この突き当て面１ｂの段差は、後述する視度の調整を行うためにレンズの光軸方向位置を調整するための段差である。
【００３５】
図１及び図４に示す７はレンズを直接保持する第一の保持部材であり、後方から第一対物レンズ１を内嵌し、レンズを回動可能に保持する。第一の保持部材７の周囲にはフランジ部が設けられ、１２０度間隔で球状の凸部７ａを３箇所に備えており、第一対物レンズ１のレンズ突き当て面１ｂに対し、同じ高さの面が同時に３箇所当接するように配置されている。この構成により、第一対物レンズ１と、第一保持部材７を相対的に回動させることにより、当接するレンズ突き当て面１ｂを変えることができ、結果的に、第一対物レンズ１と第一保持部材７の相対的な光軸方向の位置を変えることができる。７ｂはマスクであり、レンズ周囲から侵入する有害光をカットするためのものである。
【００３６】
８は第一対物レンズ１をファインダー装置に変倍のための光軸方向移動が可能に保持するための第二の保持部材である。８ａは本体の一部に設けられたスリーブであり、レンズを光軸方向に移動可能にファインダー装置に保持するため、後記するファインダー装置に取り付けられたガイドバーを嵌入させるためのものである。本体の大部分を貫通するように設けられた８ｂは開口であり、第一の保持部材７が挿入される。この開口８ｂの大きさは、第一の保持部材７に対し、上下左右に寸法的な余裕を持つように形成されている。この余裕は視差調整に必要な量だけ確保されている。本実施の形態では、カメラ撮影レンズ光軸とファインダーレンズ光軸とのずれは、上下方向よりも左右方向が小さい。そのため、視差は上下方向よりも左右方向が小さい。よって、左右方向の余裕は上下方向よりも小さく設定してある。スリーブ８ａに隣接して角穴８ｃが設けられており、第一の保持部材７を組み込んだ際、立ち曲げ部７ｃが挿入される。この角穴８ｃの穴寸法は、上下方向は調整に必要な量だけ確保されるように設定され、左右方向は立ち曲げ部７ｃの幅寸法とほぼ同一に設定してあるので、立ち曲げ部７ｃを上下方向にのみ移動可能なように保持する。第二の保持部材８の本体側面には一対のカムフォロフー８ｄが設けられている。このカムフォロフー８ｄは、撮影レンズ鏡筒と連動してズーミングされた際、撮影レンズ光軸を中心に回動するカム板のカム溝に係合し、第一対物レンズ１を光軸方向へ移動させる。
【００３７】
９は第一対物レンズ１と第一保持部材７を第二の保持部材８へ弾性的に押し付け、保持するためのバネ部材である。このバネ部材９は、第一の保持部材７に第二の保持部材８及び第一対物レンズ１を組み込んだ後、その後方から第一の保持部材７に組み込まれる。バネ部材９の側端の対照位置に設けられた２箇所の立ち曲げ部９ａには穴（不図示）が設けられている。この穴には第二の保持部材８の外周に設けられた爪８ｄが係合し、この状態のまま連結部９ｂのほぼ中央にある半球状の凸部９ｃが第一対物レンズ１のフランジ部に後方から当接するようになっている。この時、第一対物レンズ１は前後方向へ移動するため、最も前方に位置したときでも、連結部９ｂは十分な押し付け力をもって撓んでいる必要がある。立ち曲げ部９ａの一方には、ファインダーレンズ光軸に直交する方向にバネ部９ｄが延伸している。このバネ部９ｄは、ファインダー装置に組み込まれた状態でファインダー装置の固定部分に弾性的に接触する。バネ部９ｄの先端部分はファインダーレンズ光軸と平行な方向に延長され、更に、その先端にはファインダー装置の固定部分と摺動する際に滑らかに接触できるように、曲面加工が施されている。
【００３８】
次に、上記レンズ保持装置をファインダー装置に組み込んだ状態を図６，図７を用いて説明する。
【００３９】
図６は図１の各部材を組み付け後のレンズ保持装置の縦断面図を示し、図７は図６のレンズ保持装置の正面図を示している。図６及び図７において、１０はガイドバーである。このガイドバー１０は第二の保持部材８のスリーブ８ａに嵌入し、レンズ保持装置を光軸方向へ移動可能にファインダー装置に保持する。１１はファインダーの変倍を行うためのカム板であり、１１ａはカム溝で第二の保持部材８のカムフォロワー８ｄが係合している。１２はレンズ保持装置をカム溝１１ａの前側の面に確実に押し付けるためのコイルスプリングである。１３はファインダー装置である。
【００４０】
レンズ保持装置は、カム板１１が撮影レンズ鏡筒のズーミングと連動し、図７の矢印方向に回動することにより、ガイドバー１０にガイドされながらカム溝１１ａとカムフォロワー８ｄが係合することによって光軸方向の移動がなされ、ファインダーの変倍が可能になる。
【００４１】
次に、以上のように構成されたレンズ保持装置による具体的な視度調整及び視差調整の方法について説明する。調整に当たっては、撮影常用距離で視度および視差の調整を行う必要があるが、ここでは便宜上、この常用距離を３ｍとする。
【００４２】
まず、視度調整は敏感度の高い望遠側の状態、図１の（Ａ）の状態で行い、第一対物レンズ１を第一の保持部材２に対して回動させ、凸部７ａが当接する突き当て面１ｂを選択し、第一対物レンズの光軸方向位置を移動することで行う。実際の作業は、第一対物レンズ１のフランジ１ａの上部にある切り込み部１ｃをピンセットなどの先端で回動させたい方向に押すことで行い、所定距離（ここでは３ｍ）での像を接眼レンズを通して観察したとき、被写体像が最も鮮明になるように調整する。また、このとき中央の段差部から＋０．１ｍｍ、あるいは−０．１ｍｍへ回動させたときに、回動し過ぎないよう第一保持部材７の曲げ部７ｄが第一対物レンズ１のフランジ１ａに設けられた切り込み部１ｃに当接するようになっている。第一物レンズ１はバネ部材９により常に後方から第一の保持部材７に押し付けられているため、第一対物レンズ１と第一の保持部材７の相対的な回動方向の位置を変えるだけで、第一対物レンズ１の光軸方向位置を移動させることが可能である。
【００４３】
次に、視差調整は、所定距離の物体に対して撮影光学系とファインダー光学系の画角を一致させるための調整であるが、以下の方法で行う。まず、所定距離（ここでは３ｍ）、所定焦点距離（望遠側が望ましい）上での撮影光学系の画角範囲を被写体距離上のチャートで示しておき、この画角とファインダーの接眼レンズから観察される像範囲が一致するように、第一の保持部材７の曲げ部７ｄをピンセットなどでつまんで上下、左右方向に移動させる。当然、第一対物レンズ１は第一の保持部材７に嵌入してあるため、第一の保持部材７と一体に移動する。このとき、立ち曲げ部７ｃと角穴８ｃの係合部分は、上下のみの移動が可能になっている。このため、第一の保持部材７は曲げ部７ｄを左右方向に移動しようとした場合、この係合部分を略回動中心にして回動し、結果的に左右方向位置が移動することになる。逆に、この係合部分が無い場合、第一の保持部材７を上下、左右方向に移動させようとすると、バネ部材９の凸部９ｂで押し付けられている部分を中心に回動してしまい、思うように移動ができない。その為、移動させたい方向の軸上を押したり、引いたりしなければならず、作業効率が非常に悪い。あるいは、スペースによっては、作業に用いるピンセットなどが入らないこともあり得る。
【００４４】
しかし、本実施の形態によれば、曲げ部７ｄの一箇所のみをつまんで移動させることで、上下、左右、いずれの方向に対してもスムーズな移動が可能であるため、作業効率が良いばかりでなく、狭いスペース、あるいは調整されるべきレンズの前方に他のレンズがある場合でも、調整が容易に行える。また、本実施の形態における第一の保持部材７にマスク７ｂを一体的に形成しているため、以上のような視度調整および視差調整を行っても、第一対物レンズ１と第一の相対的な位置関係は保持部材７が光軸方向に移動するのみで、マスク７ｂの中心軸とレンズ光軸にずれは生じない。マスク７ｂの作用にほとんど変化はない。そのため、第一対物レンズ１の周縁部から不必要な光線を入射させることがなく、像性能を悪化させることがない。
【００４５】
次に、バネ部材９のバネ部９ｄについて説明する。図７に示すようにレンズ保持装置がファインダー装置に組み込まれた状態では、バネ部９ｄがファインダー装置１３の固定部分の壁１３ａに常に弾性的に接触している。よって、レンズ保持装置全体はガイドバー１０を中心に時計方向に回動附勢され、第二の保持部材８の凸部８ｅがファインダー装置の壁１３ｂに当接している。この凸部８ｅと壁１３ｂは夫々表面が滑らかに仕上げられ、レンズ保持装置がガイドバー１０にガイドされながら光軸方向に移動する際、引っかかりなくスムーズに摺動するようになっている。この時、バネ部９ｄによる弾性力は、カム溝１１ａとカムフォロワー８ｄの摩擦により発生するガイドバー１０を中心とした回動モーメントに十分打ち勝つだけの荷重を発生し、かつ、凸部８ｅと壁１３ｂの摺動が滑らかに行われる程度の荷重に抑えられている。このことから、レンズ保持装置はズーミングによりカム板１１の移動方向が反転しても、常に時計方向に押し付けられており、レンズの光軸ずれが生じることは無く、接眼レンズを通して観察される像は揺れることのない良好な像を得ることができる。
【００４６】
この構成によれば、夫々の部品の精度をそれほど厳しく抑える必要が無く、また、専用のバネ部品を設ける必要も無いため、コストダウン、スペースの効率的な使用が可能になる。
【００４７】
〔発明と実施の形態の対応〕
以上の実施の形態において、バネ部材９が弾性部材に相当し、バネ部材９のバネ部９ｄが突出片に相当する。
【００４８】
【発明の効果】
以上説明したように、本出願に係る請求項１記載の発明によれば、レンズを光軸方向に相対移動可能に保持する第一の保持部材、及び光軸と直交する方向に相対移動が可能なように前記第一の保持部材をファインダー装置に保持する第二の保持部材を備えるようにしたので、視差と視度の両方の調整を同一方向から作業することが可能になると共に、調整を必要とするレンズの前方に他のレンズが有ったり、スペース的に工具やピンセット等を挿入する余裕が無い場合でも調整作業が可能になる。更に、専用の工具が無くとも、視度調整及び視差調整に熟練作業が要求されないため、各調整が極めて容易であり、効率的に実施することができる。また、レンズを第一の保持部材に対し光軸周りに回動させてレンズと第一の保持部材との相対移動を行わせるようにしたので、視度調整が簡単に行える。
【００５０】
本出願に係る請求項２に記載の発明によれば、前記第一の保持部材は、周辺の１ヵ所に設けられた突片が前記第二の保持部材に設けられた貫通穴に係合する構成にしたので、レンズは上下、左右の調整に要求される程度の範囲で動けるようになり、視度調整に支障を及ぼすことがない。
【００５１】
本出願に係る請求項３に記載の発明によれば、有害光をカットするためのマスク部を第一の保持部材に設けるようにしたので、レンズ周囲から有害光がレンズに侵入するのを防止することができ、ファインダー画像が劣化しない様にすることができる。
【００５２】
本出願に係る請求項４に記載の発明によれば、特定のレンズと第一の保持部材を第二の保持部材へ附勢する弾性部材を第一の保持部材に設けるようにしたので、ねじ等で固定しなくとも各部材は１つのレンズ保持装置として一体化され、かつ視度調整及び視差調整を可能にする。
【図面の簡単な説明】
【図１】本発明におけるファインダーのレンズ保持装置を示す分解斜視図である。
【図２】本発明によるファインダー光学系を示す配置図である。
【図３】本発明に係る第一対物レンズの構成を示す正面図である。
【図４】図３の保持装置のａ−ａ断面図である。
【図５】本発明に係る第一対物レンズの構成を示す斜視図である。
【図６】第一対物レンズを組み込んだレンズ保持装置を示す断面図である。
【図７】図６のレンズ保持装置の正面図である。
【符号の説明】
１  第一対物レンズ
７  第一の保持部材
７ａ，８ｅ，９ｃ  凸部
７ｂ  マスク
７ｃ，９ａ  立ち曲げ部
７ｄ  曲げ部
８  第二の保持部材
８ａ  スリーブ
８ｄ  カムフォロワー
９  バネ部材
９ｄ  バネ部
１０  ガイドバー
１１  カム板
１３  ファインダー装置
【図１】
0003912862.tif 000002
【図２】
0003912862.tif 000003
【図３】
0003912862.tif 000004
【図４】
0003912862.tif 000005
【図５】
0003912862.tif 000006
【図６】
0003912862.tif 000007
【図７】
0003912862.tif 000008